(57)【要約】      （修正有）【課題】天板下面等に生じた変形に起因する凹凸等による固定面の変形、傾斜等に拘らず、確実に加温装置の方形枠体を吸着支持し、吸着力の低下による不慮の落下による危険を回避する膝下肢加温装置を提供する。【解決手段】方形枠体２の四隅に一体的に設けられた吸着具支持支柱８に対して、吸着具１０のヨーク１１部分をビス９により固定するもので、前記ビスの吸着具支持柱へのねじ込み量は、ヨーク底面位置が前記裏板の上面から０．８ｍｍ〜１．０ｍｍまで移動可能に設定支持した。【選択図】図２
2016050730.tif 000002
【特許請求の範囲】
【請求項１】
座業従事者の膝下肢加温装置の構造であって、方形枠体と裏板との間に発熱体及び保温材が固定されており、前記方形枠体の四隅に一体的に設けられた吸着具支持支柱に対して、吸着具のヨーク部分をビスにより固定するものであり、前記ビスの吸着具支持柱へのねじ込み量は、ヨーク底面位置が前記裏板の上面から０．８ｍｍ〜１．０ｍｍまで移動可能に設定支持したことを特徴とする加温装置の構造。
【発明の詳細な説明】
【技術分野】
【０００１】
本発明は、椅子に腰かけて事務、勉強或いは手仕事を行う座業従事者の下肢の冷却を防ぐための加温装置に係り、特に加温装置の、机又は作業台等の天板下面、引き出し下面等への固定手段の改良に関するものである。
【背景技術】
【０００２】
座業従事者は、椅子に腰掛けたり座ったりして長時間仕事をするため、室内の温度が２５℃以下になると足先や大腿部が冷えて、特に女子にあっては体調の不良を訴える場合が多い。このためには、作業室内全体を暖房しても床暖房でない限り、室内は上方が下方より温度が高く、足元を適温にすると、頭の方は温度が高すぎるし、頭を適温にすると、足元が適温でなくなるのが一般である。
【０００３】
室内全体を適温に暖房することは技術的に難しく又大きな費用を要することから、実際には床面適所に持ち運び可能な暖房器具を置き、あるいは従事者が各個に自己の下半身を毛布で包む等の場当たり的方法が行われている。しかし、このような加温あるいは保温手段は、従事者の立ち居を一時、束縛する場合が多く、さらに外観上も好ましくない。
【０００４】
そこで本願出願人は先に、下記先行技術文献に記載されたごとき考案を出願している。
これによると、勉強或いは手仕事を行う座業従事者の下肢の冷却を防ぐための加温装置は、例えば伝熱ヒータである面状のセラミック又はカーボンブラック発熱体を固定した反射板を有しており、前記発熱素子体、保温材が方形の枠体に固定されている。
【０００５】
そして、例えば先行技術文献の記載からも明らかな様に、発熱体が固定された方形枠体は、フェライト磁石片を有する皿状の吸着具を利用して、上記机又は作業台等の天板下面、引き出し下面等へ着脱自在に固定されるものである。
【先行技術文献】
【特許文献】
【０００６】
【特許文献１】実用新案登録第３０１９３４６号公報
【発明の概要】
【発明が解決しようとする課題】
【０００７】
上記従来公知の加温装置における固定手段にあっては、固定手段として皿状の吸着具の内部にフェライト磁石片を接着等により固定し、この皿状吸着具を用いて方形枠体を引き出し下面等に固定している。
この場合、吸着具のヨーク端縁部と固定部分である引き出し下面等の変形や平坦度に応じて、磁石片による吸着力に大きな差が生じ、確実な固定が困難となる等の不具合が生じていた。
【０００８】
具体的には、現実に長く使用されている机や作業台等の天板下面、引き出し下面等が変形している場合が多い。
これに対して、発熱体がビスで方形枠体に固定された加温装置の一部である方形枠体は、その吸着具を取付ける四隅部分が平坦であることから、当該四隅の吸着具支持柱にビスで確り固定された吸着具の端縁部である４個のヨークの端縁部も、加温装置の方形枠体と同様に平坦である。
【０００９】
このため、上記のごとく既に使用されていて、一部変形した天板下面、引き出し下面等に上記の加温装置を固定した場合、当該加温装置の四隅の吸着具のヨーク端部が構成する面と、天板下面等に生じた変形による凹凸等による面とが一致せず、このために吸着具のヨーク端縁部全体が天板下面に完全に当接しない状況と成り、磁力による吸着力が極端に低下すると言う不具合が生じている。
【００１０】
この発明は上記の不具合を解消するべく、吸着具の方形枠体へのビスによる固定部分に改良を加え、四隅の吸着具のヨーク端縁部と天板下面等との全面当接を確実にすることにより、天板下面等に生じた変形に起因する凹凸等による固定面の変形、傾斜等に拘らず、確実に加温装置の方形枠体を吸着支持し、吸着力の低下による不慮の落下による危険を回避することができる、加温装置の固定手段を提供するものである。
【課題を解決するための手段】
【００１１】
座業従事者の膝下肢加温装置の構造であって、方形枠体と裏板との間に発熱体及び保温材が固定されており、前記方形枠体の四隅に一体的に設けられた吸着具支持支柱に対して、吸着具のヨーク部分をビスにより固定するものであり、前記ビスの吸着具支持柱へのねじ込み量は、ヨーク底面位置が前記裏板の上面から０．８ｍｍ〜１．０ｍｍまで移動可能に設定支持した。
【発明の効果】
【００１２】
この発明によれば、加温装置の四隅の吸着具のヨーク端縁部が構成する面、或いは夫々の吸着具のヨーク端縁面と、天板下面等に生じた変形による凹凸等による面の傾斜とを自動的且つ正確に一致させることができ、より小型の吸着具を用いて確実に加温装置を吸着支持することができた。
【図面の簡単な説明】
【００１３】
【図１】図１（A）は、この発明の加温装置１に係る方形枠体２の背面図であり、図１（B）は、図１（A）のA−O−B−C断面図である。
【図２】図２は、図１（A）のD−E−F断面図である。
【図３】図３は、従来技術に係る加温装置１の概略説明図である。
【発明を実施するための形態】
【００１４】
この発明に係る一つの実施形態を、図面と共に説明する。
図１（A）は、加温装置１の背面を、図１（B）は、図１（A）のA−O−B−C断面を示しており、方形枠体１は横寸法が約３８０ｍｍ、縦寸法が約３３０ｍｍ、厚さ寸法が約２５ｍｍのプラスチック成型体で構成されている。
当該方形枠体１の略中心部には凹所３が設けられ、この部分の反対面にセラミック又はカーボンブラック発熱素子からなる発熱体４が設けられている。
【００１５】
図１から明らかな様に、加温装置１には発熱体４と保温材５が設けられている。また、方形枠体２の上面は裏面板６で覆われている。更に、上記裏面板６は図１に示すように複数の裏板支持柱７，７に、ビスで固定される構造である。
但し、これらの構成は上記従来公知の加温装置と概略同一の構成であるので、詳細な説明は省略する。
【００１６】
図２は、この発明の特徴的構造である、加温装置１の固定手段を示している。
図２から明らかな様に、加温装置固定用の吸着具１０を支持する吸着具支持柱８が、同方形枠体２の概略四隅部に４本、方形枠体２と一体成型により形成されている。
そして、同吸着具支持柱８の中心部には、ビスガイド孔８aがそれぞれ形成され、後に説明するビス９をねじ込むことにより、吸着具１０を裏板６から最適な位置に固定可能としている。
【００１７】
吸着具１０自体は一般的な形式のものであって、磁性材料である鉄板等を絞り加工して作成された断面皿型のヨーク１１と、そのヨークの凹所にドーナツ状のフェライト磁石１２が、前記ヨーク１１の底部に接着材により固定されている。（以下この明細書において、この様な断面皿型の鉄板の凹所にドーナツ状の磁石を接着固定したものを、吸着具１０と呼ぶ。）
また、当該吸着具１０の中心部には、ビス９の外径よりも多少大きな開口であるヨーク底ビス孔１１ｃが形成されており、ビス９で上記ドーナツ状磁性体（フェライト磁石）１２を有する吸着具１０を最適寸法位置に係止したときに、ビス９の周りに自由に回動可能であり、図２に示す通りに横方向にも傾斜且つ搖動可能に構成されている。
【００１８】
図２に示すビス９と吸着具１０との位置関係は、この発明の特徴的構成要件を示している。
図２において、吸着具１０のヨーク１１の底面１１aが裏板６の平面と一致したX−Y位置となるように、仮にビス９により吸着具１０のヨーク１１を締め付け固定すると、従来公知の加温装置の固定位置となる。
この場合吸着具１０は、ビス９により裏板６に確り固定されるように、ビスガイド孔８a内にねじ込まれる。
【００１９】
この様な従来公知の加温装置１における裏板６と吸着具１０との位置関係にあっては、上記の通り吸着具１０が裏板６に一体的に確り締め付け固定されているので、当該吸着具１０の吸着位置である作業台の天板下面等が変形部分である場合には、天板下面等の表面と吸着具１０のヨーク１１の端縁部１１bからなる平面とが並行でなくなり、その結果天板下面等と、ヨーク１１の端縁部１１bとの間に隙間を生じ、吸着力が極端に低下するものである。
【００２０】
一方、この発明の特徴的構成においては、上記図２において吸着具１０の固定位置は、同吸着具１０のヨーク１１の底面１１aが自由に傾動できるように固定されるものであり、この状態で吸着具１０はビス９の周りを回動可能であり、かつ、ビス９を中心として搖動可能である。
ここで重要なことは、ビス９を吸着具支持柱８のビスガイド孔８aに対してどの位置までねじ込み固定するかと言う事である。
【００２１】
これに付いて実施例を説明すると、次のようである。
この発明において使用される吸着具１０の直径は、約３２ｍｍである。また、皿型のヨーク１１の厚さは約４ｍｍであり、その中心には直径約５ｍｍのビス貫通孔１１cが設けられている。
【００２２】
これに対して、この発明に関連した加温装置１が適用される上記机や作業台等の天板下面、引き出し下面等では、既に可なり使用されている引き出し下面等の凹み量が、実測の結果５〜６ｍｍに達するものも見受けられた。
しかしながら、この様な凹みは局部的な変形ではなく、可なり広範囲に変形しており、その変形部分の傾斜面と他の水平部分との角度は、多数箇所の実測の結果約６．５度以下であることが確認された。
【００２３】
そこで、図２におけるＸ−Ｙ面（本来の天板下面等の水平面と平行）と凹み部分に対応した傾斜面を示すＸ’−Ｙ’面との成す角Ａ−Ｂ−Ｃをθ度として、当該θ度の最大値を６．５度と仮定することにより、ビス９によって固定すべき吸着具１０のヨーク１１の底面１１aの中心部であるビス貫通孔１１cの高さ位置を求めた。
【００２４】
具体的には図２を参照して、角Ａ−Ｂ−Ｃ（θ）を６．５度とし、ヨーク底面１１aの中心部である上記ビス貫通孔１１c位置の裏板６からの距離を、上記角度θから簡易に、即ち円弧Ｘ−Ｘ’の距離から求めると、当該吸着具１０のヨーク１１の直径であるＸ−Ｙ及びＸ’−Ｙ’の距離が上記の通り約３２ｍｍであるから、次のように求められる。
すなわち、直径３２ｍｍの円周（２πr）が約１００ｍｍであり、角Ａ−Ｂ−Ｃが６．５度であるから、上記Ｘ−Ｘ’部分の円弧長さが約１８ｍｍとなる。
従って、中間点であるビス貫通孔１１c位置の高さは、約０．９ｍｍとなる。
【００２５】
上述の結果ら、この実施例において方形枠体２の四隅に設けた吸着具１０，１０の各ヨーク１１を、その底面１１aと裏板６との間隔が０．９ｍｍとなるように、即ち全てのヨーク１１の底面１１aを裏板６から０．８ｍｍ〜１，０ｍｍ内に収まるように、ビス９を吸着具支持柱８にねじ込み固定することによって、ほぼ全ての変形部位において、吸着具１０を作業台天板下面等に確実に、隙間なく吸着固定することができた。
【００２６】
なお、上記の状態においては、例えば全く変形の無い（例えば新品の机など）天板下面等において、当該天板下面である吸着面に吸着されたヨーク底面１１aと、自重によって下方に移動した加温装置１の裏板６の表面との間隔は、最大１.０ｍｍであり、例えば作業者の膝頭等が加温装置１の下面部に衝突した時などによる加温装置１の上方への移動で発生する衝撃音も、気になる音量ではなかった。
【符号の説明】
【００２７】
１    加温装置
２    方形枠材
３    凹所
４    発熱体
５    保温材
６    裏板
７    裏板支持柱
８    吸着具支持柱
８a   ビスガイド孔
９    ビス
１０    吸着具
１１    ヨーク
１１a   ヨーク底面
１１b   ヨーク端縁部
１１c   ビス貫通孔
１２    フェライト磁石
【図１】
2016050730.tif 000003
【図２】
2016050730.tif 000004
【図３】
2016050730.tif 000005